(57)【要約】【課題】システム変更のコストを低減して、一方の機種の端末にて、他方の機種の端末向けのコンテンツの購入予定登録を可能とする。【解決手段】オンラインストア連携システム１は、それぞれ機種が異なるユーザ端末２１，３１と、通信ネットワーク５０ａを介してユーザ端末２１にデジタルコンテンツ（以下、商品と呼ぶ）の販売を行うフロントサーバ２２と、通信ネットワーク５０ｅを介してユーザ端末３１に商品の販売を行うフロントサーバ３２と、通信ネットワーク５０ｃ，５０ｇを介してフロントサーバ２２，３２と接続され、購入予定リストを有する購入予定リストサーバ４０とを備え、フロントサーバ２２は、ユーザ端末２１の操作によって選択された商品を購入予定リストに登録し、フロントサーバ３２は、購入予定リストの中から、ユーザ端末３２の操作によって選択された商品の購入処理を行う。【選択図】図１
2013008238.tif 000002
【特許請求の範囲】
【請求項１】
それぞれ機種が異なる第１および第２ユーザ端末と、
通信ネットワークを介して上記第１ユーザ端末にデジタルコンテンツの販売を行う第１フロントサーバと、
通信ネットワークを介して上記第２ユーザ端末にデジタルコンテンツの販売を行う第２フロントサーバと、
通信ネットワークを介して上記第１および上記第２フロントサーバと接続され、購入予定リストを有する購入予定リストサーバと、
を備え、
上記第１フロントサーバは、上記第１ユーザ端末の操作によって選択されたデジタルコンテンツを購入予定コンテンツとして上記購入予定リストに登録し、
上記第２フロントサーバは、上記購入予定リストに登録された上記デジタルコンテンツの中から、上記第２ユーザ端末の操作によって選択されたデジタルコンテンツの購入処理を行うことを特徴とするオンラインストア連携システム。
【請求項２】
上記購入予定リストサーバは、ユーザＩＤ毎に異なる上記購入予定リストを有し、
上記第１フロントサーバは、上記第１ユーザ端末の操作によって選択されたデジタルコンテンツを、上記第１ユーザ端末の操作によって指定されたユーザＩＤに対応した上記購入予定リストに購入予定コンテンツとして登録し、
上記第２フロントサーバは、上記第２ユーザ端末の操作によって指定されたユーザＩＤに対応した上記購入予定リストの中から、上記第２ユーザ端末の操作によって選択されたデジタルコンテンツの購入処理を行うことを特徴とする請求項１に記載のオンラインストア連携システム。
【請求項３】
上記購入予定リストでは、上記購入予定コンテンツを特定する情報が管理されることを特徴とする請求項１に記載のオンラインストア連携システム。
【請求項４】
上記第２フロントサーバは、上記第２ユーザ端末の操作によって、上記購入処理が行われた上記デジタルコンテンツを上記第２ユーザ端末に送信することを特徴とする請求項１に記載のオンラインストア連携システム。
【請求項５】
上記第１ユーザ端末は、表示部を有し、
上記第１フロントサーバは、上記第１フロントサーバにアクセスした上記第１ユーザ端末の上記表示部に、上記第１ユーザ端末の操作によって選択されたデジタルコンテンツの購入予定登録の決定操作および購入の決定操作を受け付ける画面を表示させることを特徴とする請求項１に記載のオンラインストア連携システム。
【請求項６】
デジタルコンテンツの販売を行うフロントサーバと通信を行う通信部と、
上記通信部を介して上記フロントサーバから受信するデジタルコンテンツのリストを表示する表示部と、
ユーザの操作を受け付ける操作部と、
を備え、
上記操作部の操作によって上記リストの中から選択されたデジタルコンテンツを特定するコンテンツ特定情報と、該コンテンツ特定情報を購入予定リストに登録させる登録要求とを、上記通信部から上記フロントサーバに送信する登録要求手段を更に備えることを特徴とするユーザ端末。
【請求項７】
上記登録要求手段は、上記操作部の操作によって、上記コンテンツ特定情報および上記登録要求と共にユーザＩＤを上記フロントサーバに送信し、
上記登録要求は、上記コンテンツ特定情報を、上記ユーザＩＤに対応した上記購入予定リストに登録させる要求であることを特徴とする請求項６に記載のユーザ端末。
【請求項８】
デジタルコンテンツの販売を行うフロントサーバと通信を行う通信部と、
上記通信部を介して上記フロントサーバから受信する購入予定リストを表示する表示部と、
ユーザの操作を受け付ける操作部と、
を備え、
上記操作部の操作によって上記購入予定リストの中から選択されたデジタルコンテンツを特定するコンテンツ特定情報と、該コンテンツ特定情報で特定されたデジタルコンテンツの購入処理を行わせる購入処理要求とを、上記通信部から上記フロントサーバに送信する購入処理要求手段を更に備えることを特徴とするユーザ端末。
【請求項９】
上記操作部の操作によって指定されたユーザＩＤと、そのユーザＩＤに対応した上記購入予定リストを送信する送信要求とを、上記通信部から上記フロントサーバに送信し、上記通信部を介して上記フロントサーバから受信する上記ユーザＩＤに対応した上記購入予定リストを上記表示部に表示するリスト送信要求手段を更に備えることを特徴とする請求項８に記載のユーザ端末。
【請求項１０】
ユーザ端末および購入予定リストサーバと通信を行う通信部を備え、
上記通信部を介して上記ユーザ端末にデジタルコンテンツのリストを送信するリスト送信手段と、
上記通信部を介して上記ユーザ端末から、上記リストから選択されたデジタルコンテンツを特定する第１情報と、その第１情報を購入予定リストに登録させる第１要求とを受信した場合、上記通信部から上記購入予定リストサーバに対し、上記デジタルコンテンツを特定する第２情報と、その第２情報を上記購入予定リストサーバに登録させる第２要求とを送信する登録要求手段と、
を更に備えることを特徴とするフロントサーバ。
【請求項１１】
上記登録要求手段は、上記通信部を介して上記ユーザ端末から、上記第１情報および上記第１要求に加えてユーザＩＤを受信した場合、上記通信部から上記購入予定リストサーバに対し、上記第２情報および上記第２要求を送信し、
上記第２要求は、上記第２情報を、上記ユーザＩＤに対応した上記購入予定リストに登録させる要求であることを特徴とする請求項１０に記載のフロントサーバ。
【請求項１２】
ユーザ端末および購入予定リストサーバと通信を行う通信部を備え、
上記通信部を介して上記購入予定リストサーバから購入予定リストを受信し、上記通信部を介して上記ユーザ端末に上記購入予定リストを送信するリスト供給手段と、
上記通信部を介して上記ユーザ端末から、上記購入予定リストから選択されたデジタルコンテンツを特定するコンテンツ特定情報と、該コンテンツ特定情報で特定されたデジタルコンテンツの購入処理を行わせる購入要求とを受信した場合、上記コンテンツ特定情報で特定された上記デジタルコンテンツの購入処理を行う購入処理手段と、
を更に備えることを特徴とするフロントサーバ。
【請求項１３】
上記リスト供給手段は、上記通信部を介して上記ユーザ端末から、ユーザＩＤと、上記ユーザＩＤに対応した上記購入予定リストを送信する送信要求とを受信した場合、上記ユーザＩＤと、上記ユーザＩＤに対応した上記購入予定リストを送信する送信要求とを上記購入予定リストサーバに送信し、また、上記通信部を介して上記購入予定リストサーバから受信する上記ユーザＩＤに対応した上記購入予定リストを、上記ユーザ端末に送信することを特徴とする請求項１２に記載のフロントサーバ。
【請求項１４】
第１および第２フロントサーバと通信を行う通信部と、
購入予定リストを有する記憶部と、
を備え、
上記第１フロントサーバから、デジタルコンテンツを特定するコンテンツ特定情報と、該コンテンツ特定情報を上記購入予定リストに登録する登録要求とを受信した場合、該コンテンツ特定情報を上記購入予定リストに登録する購入予定リスト作成手段と、
上記第２フロントサーバから上記購入予定リストの送信要求を受信した場合、上記購入予定リストを上記第２フロントサーバに送信する購入予定リスト送信制御手段と、
を更に備えることを特徴とする購入予定リストサーバ。
【請求項１５】
上記購入予定リスト作成手段は、上記第１フロントサーバから、ユーザＩＤと、デジタルコンテンツを特定するコンテンツ特定情報と、該コンテンツ特定情報を上記ユーザＩＤに対応した上記購入予定リストに登録する登録要求とを受信した場合、該コンテンツ特定情報を上記ユーザＩＤに対応した上記購入予定リストに登録し、
上記購入予定リスト送信制御手段は、上記第２フロントサーバから、ユーザＩＤと、上記購入予定リストを送信する送信要求とを受信した場合、上記ユーザＩＤに対応した上記購入予定リストを上記第２フロントサーバに送信することを特徴とする請求項１４に記載の購入予定リストサーバ。
【発明の詳細な説明】
【技術分野】
【０００１】
本発明は、通信ネットワークを介してデジタルコンテンツの販売を行う技術に関する。
【背景技術】
【０００２】
或る端末（ユーザ端末）でデジタルコンテンツを購入し、別の端末（プレイヤ端末）で、その購入したデジタルコンテンツを再生するオンラインストアシステムとして特許文献１が知られている。
【０００３】
このオンラインストアシステム５００は、図２１の様に、デジタルコンテンツの販売を行う販売サーバ５４０と、販売サーバ５４０からデジタルコンテンツを購入するユーザ端末５１０と、デジタルコンテンツを再生するプレイヤ端末５２０と、サーバ５３０と、それらが接続される通信ネットワーク５５０とを備えている。
【０００４】
ユーザ端末５１０は、通信ネットワーク５５０を介してサーバ５３０に各顧客の棚の作成要求を行う。販売サーバ５４０は、顧客によるユーザ端末５１０からの購入要求を受け付けて、顧客が購入したデジタルコンテンツを通信ネットワーク５５０を介してサーバ５３０に送信する。
【０００５】
サーバ５３０は、ユーザ端末５１０からの上記棚の作成要求に応答して、各顧客のデジタルコンテンツの保管庫としてデータベース上に棚を作成する。また、サーバ５３０は、販売サーバ５４０により送信されたデジタルコンテンツを上記棚に格納する。また、サーバ５３０は、通信ネットワーク５５０を介してのプレイヤ端末５２０からのリスト要求により、顧客の上記棚からデジタルコンテンツリストを作成してプレイヤ端末５２０に送る。また、サーバ５３０は、通信ネットワーク５５０を介して、プレイヤ端末５２０にて顧客が選択したデジタルコンテンツのダウンロード要求に応答して、その選択したデジタルコンテンツをプレイヤ端末５２０に送信する。
【先行技術文献】
【特許文献】
【０００６】
【特許文献１】特開２００２−９９７４０号公報（公開日２００２年４月５日公開）
【発明の概要】
【発明が解決しようとする課題】
【０００７】
上記オンラインストアシステム５００は、１つのオンラインストアシステム内において、或る端末（ユーザ端末）でデジタルコンテンツを購入し、別の端末（プレイヤ端末）で、その購入したデジタルコンテンツを再生するものである。
【０００８】
近年、図２２の様に、それぞれ異なる機種Ａ，Ｂのユーザ端末６１０，７１０にデジタルコンテンツを販売する２つのオンラインストアシステム６００，７００間において、上記オンラインストアシステム５００の様に、一方の機種Ａのユーザ端末６１０において、他方の機種Ｂの端末向けのデジタルコンテンツの購入（より詳細には購入予定登録）を行い、他方の機種Ｂの端末７１０において、一方の機種Ａの端末６１０で購入したデジタルコンテンツを再生（より詳細には購入・再生）できるようにすることが要求されている。
【０００９】
なお、図２２では、オンラインストアシステム６００は、機種Ａのユーザ端末６１０と、機種Ａ向けの販売サーバ６２０と、それらが接続される通信ネットワーク８００とを備えている。オンラインストアシステム７００は、機種Ｂのユーザ端末７１０と、機種Ｂ向けの販売サーバ７２０と、それらが接続される通信ネットワーク８００とを備えている。通信ネットワーク８００は、各オンラインストアシステム６００，７００で共有されている。
【００１０】
しかしながら、上記２つのオンラインストアシステム６００，７００間において、上記オンラインストアシステム５００の技術を適用して、上記の要求を実現すると、即ち、従来通りにユーザ端末（機種Ａ）６１０において販売サーバ（機種Ａ向け）６２０で機種Ａ向けのデジタルコンテンツを購入してそのデジタルコンテンツをユーザ端末（機種Ａ）６１０で再生でき、更に、ユ一ザ端末（機種Ａ）６１０において販売サーバ（機種Ｂ向け）７２０で機種Ｂ向けのデジタルコンテンツを購入してユーザ端末（機種Ｂ）７１０で再生できるようにすると、下記（１）〜（４）の問題が生じる。
【００１１】
（１）販売サーバ（機種Ｂ向け）７２０は、各機種Ａ，Ｂの双方からのアクセスに対応できるように変更される必要がある。例えば、販売サーバ（機種Ｂ向け）７２０がウェブサーバであり、各機種Ａ，Ｂで画面解像度や画面操作デバイスに差異がある場合、販売サーバ（機種Ｂ向け）７２０はアクセスする機種Ａ，Ｂを判別した上で、各機種Ａ，Ｂに適した画面レイアウトを作成する必要がある。
【００１２】
（２）ユーザ端末（機種Ａ）６１０は、アクセスする販売サーバを販売サーバ（機種Ａ向け）６２０と販売サーバ（機種Ｂ向け）７２０とに切り替える手段を備える必要がある。また、ユーザがその手段を用いて切り替える作業を行う必要が生じる。また、ユーザ端末（機種Ｂ）７１０、販売サ一バ（機種Ｂ向け）７２０およびサーバ（機種Ｂ向け）９１０に関しても同様の切り替え手段が必要である。
【００１３】
（３）販売サーバ（機種Ｂ向け）７２０では、ユーザ端末（機種Ａ）６１０から販売サーバ（機種Ｂ向け）７２０のデジタルコンテンツを直接購入するための決済の仕組みを新たに備える必要が生じる可能性がある。例えば、販売サーバ （機種Ａ向け）６２０はクレジットカード決済を導入しており、販売サーバ（機種Ｂ向け）７２０は銀行口座引き落としを導入している場合、下記（ａ）または（ｂ）の対応が必要になる。
【００１４】
（ａ）販売サーバ（機種Ｂ向け）７２０において、ユーザ端末（機種Ａ）６１０と銀行口座とを対応させる手段を新たに設けて、その銀行口座で上記決済を行えるようにする。（ｂ）販売サーバ（機種Ｂ向け）７２０において、クレジットカード決済を行う手段を新たに設けて、ユーザ端末（機種Ａ）６１０と対応しているクレジットカードで上記決済を行えるようにする。
【００１５】
（４）販売サーバ（機種Ｂ向け）７２０にデジタルコンテンツを提供しているコンテンツプロバイダが、ユーザ端末（機種Ｂ）７１０においてのみ購入・再生されることを前提にサーバ事業者に販売を許諾している場合において、ユーザ端末（機種Ａ）６１０からの購入を行う場合は、サーバ事業者は再度許諾を得る必要がある。しかし、許諾を得るには期間やコストを要する上、再度許諾が得られるかどうかは分からない。即ち、コンテンツの使用許諾に関する問題が生じる。
【００１６】
この様に、上記オンラインストアシステム５００の技術を用いて、上記の要求を実現するには、システム変更のためのコストが掛かるという問題や、コンテンツの使用許諾に関する問題が生じる。
【００１７】
本発明は、上記の問題点に鑑みてなされたものであり、その目的は、システム変更のためのコストを抑えることができ、且つデジタルコンテンツの使用許諾の問題が生じることなく、一方の機種の端末において、他方の機種の端末向けのデジタルコンテンツの購入予定登録が行えるオンラインストア連携システム、ユーザ端末、フロントサーバおよび購入予定リストサーバ等を提供することにある。
【課題を解決するための手段】
【００１８】
上記の課題を解決するために、本発明に係るオンラインストア連携システムは、それぞれ機種が異なる第１および第２ユーザ端末と、通信ネットワークを介して上記第１ユーザ端末にデジタルコンテンツの販売を行う第１フロントサーバと、通信ネットワークを介して上記第２ユーザ端末にデジタルコンテンツの販売を行う第２フロントサーバと、通信ネットワークを介して上記第１および上記第２フロントサーバと接続され、購入予定リストを有する購入予定リストサーバと、を備え、上記第１フロントサーバは、上記第１ユーザ端末の操作によって選択されたデジタルコンテンツを購入予定コンテンツとして上記購入予定リストに登録し、上記第２フロントサーバは、上記購入予定リストに登録された上記デジタルコンテンツの中から、上記第２ユーザ端末の操作によって選択されたデジタルコンテンツの購入処理を行うことを特徴とする。
【００１９】
上記の構成によれば、購入予約リストを有する購入予約サーバを備えており、第１フロントサーバは、第１ユーザ端末の操作によって選択されたデジタルコンテンツを購入予定リストに登録し、第２フロントサーバは、購入予定リストの中から、第２ユーザ端末の操作によって選択されたデジタルコンテンツの購入処理を行う。
【００２０】
これにより、第１ユーザ端末は、第１フロントサーバから、第２ユーザ端末向けのデジタルコンテンツを第１フロントサーバから購入予定リストに登録することができるので、第２フロントサーバにアクセスする必要がなく、よって、アクセスするフロントサーバを第２フロントサーバに切り替える手段を設ける必要がない。
【００２１】
また、第２フロントサーバには第２ユーザ端末だけがアクセスするので、第２フロントサーバでは、第１および第２ユーザ端末の両方に対応する必要がなく、よって、両方のユーザ端末に対応するためのシステム変更を行う必要がない。
【００２２】
また、第２フロントサーバでは、第２ユーザ端末の操作によって購入処理が行われるので、第１ユーザ端末に対応した決済方法を新たに導入する必要がない。
【００２３】
また、購入予定コンテンツの購入処理は、第２ユーザ端末の操作で行われ、第１ユーザ端末の操作では行われないので、コンテンツの使用許諾に関する問題は生じない。
【００２４】
よって、システム変更のためのコストを抑えることができ、且つ、デジタルコンテンツの使用許諾の問題が生じることなく、一方の機種のユーザ端末において、他方の機種向けのデジタルコンテンツの購入予定登録を行うことができる。
【００２５】
本発明に係るオンラインストア連携システムは、上記購入予定リストサーバは、ユーザＩＤ毎に異なる上記購入予定リストを有し、上記第１フロントサーバは、上記第１ユーザ端末の操作によって選択されたデジタルコンテンツを、上記第１ユーザ端末の操作によって指定されたユーザＩＤに対応した上記購入予定リストに購入予定コンテンツとして登録し、上記第２フロントサーバは、上記第２ユーザ端末の操作によって指定されたユーザＩＤに対応した上記購入予定リストの中から、上記第２ユーザ端末の操作によって選択されたものの購入処理を行うことが望ましい。
【００２６】
上記の構成によれば、購入予定リストがユーザＩＤ毎に異なるので、ユーザＩＤが異なる第１ユーザ端末間で異なる購入予定リストを使用できる。これにより、例えば家族単位で１つのユーザＩＤを割り当てることで、家族単位で１つの購入予定リストを使用できる。
【００２７】
本発明に係るオンラインストア連携システムは、上記購入予定リストでは、上記購入予定コンテンツを特定する情報が管理されることが望ましい。
【００２８】
本発明に係るオンラインストア連携システムは、上記第２フロントサーバは、上記第２ユーザ端末の操作によって、上記購入処理が行われた上記デジタルコンテンツを上記第２ユーザ端末に送信することが望ましい。
【００２９】
上記の構成によれば、第２ユーザ端末の操作によって、購入処理が行われたデジタルコンテンツが第２ユーザ端末に配信されるので、ユーザの都合の良いときに、購入したコンテンツを第２ユーザ端末で視聴できる。
【００３０】
本発明に係るオンラインストア連携システムは、上記第１ユーザ端末は、表示部を有し、上記第１フロントサーバは、上記第１フロントサーバにアクセスした上記第１ユーザ端末の上記表示部に、上記第１ユーザ端末の操作によって選択されたデジタルコンテンツの購入予定登録の決定操作および購入の決定操作を受け付ける画面を表示させることが望ましい。
【００３１】
上記の構成によれば、第１ユーザ端末の表示部に、購入予定登録の決定操作および購入の決定操作を受け付ける画面が表示されるので、コンテンツの購入予定リストへの登録の操作、または、コンテンツの購入の操作を簡単に行える。
【００３２】
本発明に係るユーザ端末は、デジタルコンテンツの販売を行うフロントサーバと通信を行う通信部と、上記通信部を介して上記フロントサーバから受信するデジタルコンテンツのリストを表示する表示部と、ユーザの操作を受け付ける操作部と、を備え、上記操作部の操作によって上記リストの中から選択されたデジタルコンテンツを特定するコンテンツ特定情報と、該コンテンツ特定情報を購入予定リストに登録させる登録要求とを、上記通信部から上記フロントサーバに送信する登録要求手段を更に備えることを特徴とする。
【００３３】
上記の構成によれば、ユーザ端末は、フロントサーバに対して、操作部の操作によってリストの中から選択されたデジタルコンテンツを購入予定リストに登録させることができる。これにより、このユーザ端末を、上記オンラインストア連携システムを構成する第１ユーザ端末として使用できる。
【００３４】
本発明に係るユーザ端末では、上記登録要求手段は、上記操作部の操作によって、上記コンテンツ特定情報および上記登録要求と共にユーザＩＤを上記フロントサーバに送信し、上記登録要求は、上記コンテンツ特定情報を、上記ユーザＩＤに対応した上記購入予定リストに登録させる要求であることが望ましい。
【００３５】
上記の構成によれば、ユーザ端末は、フロントサーバに対して、操作部の操作によってリストの中から選択されたデジタルコンテンツを、操作部の操作によって送信されたユーザＩＤに対応した購入予定リストに登録させることができる。これにより、このユーザ端末を、上記オンラインストア連携システムを構成する第１ユーザ端末として使用できる。
【００３６】
本発明に係るユーザ端末は、デジタルコンテンツの販売を行うフロントサーバと通信を行う通信部と、上記通信部を介して上記フロントサーバから受信する購入予定リストを表示する表示部と、ユーザの操作を受け付ける操作部と、を備え、上記操作部の操作によって上記購入予定リストの中から選択されたデジタルコンテンツを特定するコンテンツ特定情報と、該コンテンツ特定情報で特定されたデジタルコンテンツの購入処理を行わせる購入処理要求とを、上記通信部から上記フロントサーバに送信する購入処理要求手段を更に備えることを特徴とする。
【００３７】
上記の構成によれば、ユーザ端末は、フロントサーバに対して、操作部の操作によって購入予定リストの中から選択されたデジタルコンテンツの購入処理を行わせることができる。これにより、このユーザ端末を、上記オンラインストア連携システムを構成する第２ユーザ端末として使用できる。
【００３８】
本発明に係るユーザ端末は、上記操作部の操作によって指定されたユーザＩＤと、そのユーザＩＤに対応した上記購入予定リストを送信する送信要求とを、上記通信部から上記フロントサーバに送信し、上記通信部を介して上記フロントサーバから受信する上記ユーザＩＤに対応した上記購入予定リストを上記表示部に表示するリスト送信要求手段を更に備えることが望ましい。
【００３９】
上記の構成によれば、ユーザ端末は、フロントサーバに、ユーザＩＤと購入予定リストの送信要求とを送信することで、フロントサーバから、ユーザＩＤに対応した購入予定リストを受信し、その購入予定リストを表示部に表示する。よって、ユーザ端末は、表示部に表示された購入予定リスト（即ちユーザＩＤに対応した購入予定リスト）の中からデジタルコンテンツを選択できる。これにより、このユーザ端末を、上記オンラインストア連携システムを構成する第２ユーザ端末として使用できる。
【００４０】
本発明に係るフロントサーバは、ユーザ端末および購入予定リストサーバと通信を行う通信部を備え、上記通信部を介して上記ユーザ端末にデジタルコンテンツのリストを送信するリスト送信手段と、上記通信部を介して上記ユーザ端末から、上記リストから選択されたデジタルコンテンツを特定する第１情報と、その第１情報を購入予定リストに登録させる第１要求とを受信した場合、上記通信部から上記購入予定リストサーバに対し、上記デジタルコンテンツを特定する第２情報と、その第２情報を上記購入予定リストサーバに登録させる第２要求とを送信する登録要求手段と、を更に備えることを特徴とする。
【００４１】
上記の構成によれば、フロントサーバは、ユーザ端末によってリストの中から特定（選択）されたデジタルコンテンツの情報を、購入予定リストサーバに登録させることができる。これにより、このフロントサーバを、上記オンラインストア連携システムを構成する第１フロントサーバとして使用できる。
【００４２】
本発明に係るフロントサーバでは、上記登録要求手段は、上記通信部を介して上記ユーザ端末から、上記第１情報および上記第１要求に加えてユーザＩＤを受信した場合、上記通信部から上記購入予定リストサーバに対し、上記第２情報および上記第２要求を送信し、上記第２要求は、上記第２情報を、上記ユーザＩＤに対応した上記購入予定リストに登録させる要求であることが望ましい。
【００４３】
上記の構成によれば、フロントサーバは、ユーザ端末によってリストの中から特定（選択）されたデジタルコンテンツを、ユーザ端末で指定されたユーザＩＤに対応した購入予定リストに登録させることができる。これにより、このフロントサーバを、上記オンラインストア連携システムを構成する第１フロントサーバとして使用できる。
【００４４】
本発明に係るフロントサーバは、ユーザ端末および購入予定リストサーバと通信を行う通信部を備え、上記通信部を介して上記購入予定リストサーバから購入予定リストを受信し、上記通信部を介して上記ユーザ端末に上記購入予定リストを送信するリスト供給手段と、上記通信部を介して上記ユーザ端末から、上記購入予定リストから選択されたデジタルコンテンツを特定するコンテンツ特定情報と、該コンテンツ特定情報で特定されたデジタルコンテンツの購入処理を行わせる購入要求とを受信した場合、上記コンテンツ特定情報で特定された上記デジタルコンテンツの購入処理を行う購入処理手段と、を更に備えることを特徴とする。
【００４５】
上記の構成によれば、フロントサーバは、購入予定リストサーバから購入予定リストを受信し、それをユーザ端末に送信する。また、ユーザ端末によって上記購入予定リストの中から特定（選択）されたデジタルコンテンツの購入処理を行う。これにより、このフロントサーバを、上記オンラインストア連携システムを構成する第２フロントサーバとして使用できる。
【００４６】
本発明に係るフロントサーバでは、上記リスト供給手段は、上記通信部を介して上記ユーザ端末から、ユーザＩＤと、上記ユーザＩＤに対応した上記購入予定リストを送信する送信要求とを受信した場合、上記ユーザＩＤと、上記ユーザＩＤに対応した上記購入予定リストを送信する送信要求とを上記購入予定リストサーバに送信し、また、上記通信部を介して上記購入予定リストサーバから受信する上記ユーザＩＤに対応した上記購入予定リストを、上記ユーザ端末に送信することが望ましい。
【００４７】
上記の構成によれば、フロントサーバは、購入予定リストサーバから、ユーザＩＤに対応した購入予定リストを受信し、それをユーザ端末に送信する。また、ユーザ端末によって上記購入予定リストの中から特定（選択）されたデジタルコンテンツの購入処理を行う。これにより、このフロントサーバを、上記オンラインストア連携システムを構成する第２フロントサーバとして使用できる。
【００４８】
本発明に係る購入予定リストサーバは、第１および第２フロントサーバと通信を行う通信部と、購入予定リストを有する記憶部と、を備え、上記第１フロントサーバから、デジタルコンテンツを特定するコンテンツ特定情報と、該コンテンツ特定情報を上記購入予定リストに登録する登録要求とを受信した場合、該コンテンツ特定情報を上記購入予定リストに登録する購入予定リスト作成手段と、上記第２フロントサーバから上記購入予定リストの送信要求を受信した場合、上記購入予定リストを上記第２フロントサーバに送信する購入予定リスト送信制御手段と、を更に備えることを特徴とする。
【００４９】
上記の構成によれば、購入予定リストサーバは、第１フロントサーバの要求に応じて、デジタルコンテンツを特定する情報を購入予定リストに登録する。また、購入予定リストサーバは、第２フロントサーバの要求に応じて、購入予定リストを第２フロントサーバに送信する。これにより、この購入予定リストサーバを、上記オンラインストア連携システムを構成する購入予定リストサーバとして使用できる。
【００５０】
本発明に係る購入予定リストサーバでは、上記購入予定リスト作成手段は、上記第１フロントサーバから、ユーザＩＤと、デジタルコンテンツを特定するコンテンツ特定情報と、該コンテンツ特定情報を上記ユーザＩＤに対応した上記購入予定リストに登録する登録要求とを受信した場合、該コンテンツ特定情報を上記ユーザＩＤに対応した上記購入予定リストに登録し、上記購入予定リスト送信制御手段は、上記第２フロントサーバから、ユーザＩＤと、上記購入予定リストを送信する送信要求とを受信した場合、上記ユーザＩＤに対応した上記購入予定リストを上記第２フロントサーバに送信することが望ましい。
【００５１】
上記の構成によれば、購入予定リストサーバは、第１フロントサーバの要求に応じて、デジタルコンテンツを特定する情報を、ユーザＩＤに対応した購入予定リストに登録する。また、購入予定リストサーバは、第２フロントサーバの要求に応じて、ユーザＩＤに対応した購入予定リストを第２フロントサーバに送信する。これにより、この購入予定リストサーバを、上記オンラインストア連携システムを構成する購入予定リストサーバとして使用できる。
【００５２】
なお、上記ユーザ端末、上記フロントサーバ、および、上記購入予定リストサーバは、コンピュータによって実現してもよく、この場合には、コンピュータを上記各手段として動作させることにより、それら各々をコンピュータにて実現させるそれら各々の制御プログラム、およびそれを記録したコンピュータ読み取り可能な記録媒体も、本発明の範疇に入る。
【発明の効果】
【００５３】
本発明は、それぞれ機種が異なる第１および第２ユーザ端末と、通信ネットワークを介して上記第１ユーザ端末にデジタルコンテンツの販売を行う第１フロントサーバと、通信ネットワークを介して上記第２ユーザ端末にデジタルコンテンツの販売を行う第２フロントサーバと、通信ネットワークを介して上記第１および上記第２フロントサーバと接続され、購入予定リストを有する購入予定リストサーバと、を備え、上記第１フロントサーバは、上記第１ユーザ端末の操作によって選択されたデジタルコンテンツを購入予定コンテンツとして上記購入予定リストに登録し、上記第２フロントサーバは、上記購入予定リストに登録された上記デジタルコンテンツの中から、上記第２ユーザ端末の操作によって選択されたものの購入処理を行うものである。
【００５４】
それゆえ、システム変更のためのコストを抑えることができ、且つ、デジタルコンテンツの使用許諾の問題が生じることなく、一方の機種のユーザ端末において、他方の機種向けのデジタルコンテンツの購入予定登録を行うことができるという効果を奏する。
【図面の簡単な説明】
【００５５】
【図１】本発明の実施の形態１に係るオンラインストア連携システムの構成概略図である。
【図２】図１のユーザ端末の構成の一例を示す図である。
【図３】図１のフロントサーバの構成の一例を示す図である。
【図４】図１の購入予定リストサーバの構成の一例を示す図である。
【図５】図１のフロントサーバの構成の一例を示す図である。
【図６】図１のオンラインストア連携システムの動作を説明する図である。
【図７】第１オンラインストアシステムのホームページのトップ画面の一例を示す図である。
【図８】動画リストの一例を示す図である。
【図９】第１オンラインストアシステムでの購入予定登録の決定を受け付ける画面の一例を示した図である。
【図１０】第１オンラインストアシステムでのユーザＩＤの入力を受け付ける画面の一例を示した図である。
【図１１】第２オンラインストアシステムのホームページのトップ画面の一例を示す図である。
【図１２】第２オンラインストアシステムでのユーザＩＤの入力を受け付ける画面の一例を示した図である。
【図１３】購入予定リストの一例を示す図である。
【図１４】第２オンラインストアシステムでの購入の決定を受け付ける画面の一例を示した図である。
【図１５】ユーザ端末がタブレット端末である場合の外観の一例を示した図である。
【図１６】ユーザ端末がスマートフォンである場合の外観の一例を示した図である。
【図１７】ユーザ端末がインターネット接続機能付きテレビである場合の外観の一例を示した図である。
【図１８】ユーザ端末がパソコンである場合の外観の一例を示した図である。
【図１９】第１オンラインストアシステムでの購入予定登録の決定および購入の決定を受け付け画面の一例を示した図である。
【図２０】実施の形態２に係るオンラインストア連携システムの構成概略図である。
【図２１】従来のオンラインストアシステムを説明する図である。
【図２２】従来のオンラインストアシステムを説明する他の図である。
【発明を実施するための形態】
【００５６】
以下、本発明の実施の形態について、詳細に説明する。
（実施の形態１）
（１−１．全体構成）
本実施の形態のオンラインストア連携システムについて図１〜図１８に基づいて説明すれば以下のとおりである。
【００５７】
本実施の形態に係るオンラインストア連携システム１は、図１の様に、機種Ａ（第１機種）のユーザ端末２１に対して電子書籍、動画および音楽などのデジタルコンテンツ（ここでは電子書籍）（以下、商品と呼ぶ）を販売する第１オンラインストアシステム２０と、機種Ａと異なる機種Ｂ（第２機種）のユーザ端末３１に対して商品（ここでは動画）を販売する第２オンラインストアシステム３０と、購入予定リストを有する購入予定リストサーバ４０とを備えている。
【００５８】
このオンラインストア連携システム１は、後述の様に、ユーザ端末２１の操作によって、ユーザ端末２１とは機種が異なるユーザ端末３１向けの第２オンラインストアシステム３０の商品の中からユーザ端末３１にて購入を予定する商品（以後、購入予定商品とも呼ぶ）を選択して上記購入予定リストに登録し、ユーザ端末３１の操作によって、第２オンラインストアシステム３０から上記購入予定リストに登録した商品を購入できる様にしたものである。
【００５９】
購入予定リストサーバ４０は、プログラム制御で動作するワークステーション、パーソナルコンピュータ等の情報処理装置により構成される。購入予定リストサーバ４０は、例えば、ユーザＩＤ毎に異なる購入予定リストを保有している。
【００６０】
第１オンラインストアシステム２０は、図１の様に、ユーザ端末２１（第１ユーザ端末）と、フロントサーバ２２（第１フロントサーバ）と、販売サーバ２３とを備えている。
【００６１】
ユーザ端末２１とフロントサーバ２２は、通信ネットワーク５０ａを介して相互接続されている。また、フロントサーバ２２と販売サーバ２３は、通信ネットワーク５０ｂを介して相互接続されている。また、フロントサーバ２２と購入予定リストサーバ４０は、通信ネットワーク５０ｃを介して相互接続されている。また、フロントサーバ２２は、第２オンラインストアシステム３０の後述のフロントサーバ３２と通信ネットワーク５０ｄを介して相互接続されている。
【００６２】
通信ネットワーク５０ａ，５０ｂ，５０ｃ，５０ｄには、インターネット回線などの公衆回線を使用することができる。
【００６３】
ユーザ端末２１は、プログラム制御で動作するパーソナルコンピュータまたは携帯端末等の情報処理装置（ここではタブレット端末）である。ユーザ端末２１は、下記の機能（ａ１）〜（ａ５）を有している。
【００６４】
（ａ１）通信ネットワーク５０ａに有線または無線で通信接続する機能、（ａ２）第１オンラインストアシステム２０のホームページ（以後、第１ホームページと呼ぶ）を閲覧する機能、（ａ３）上記第１ホームページで、第１オンラインストアシステム２０で販売される商品（例えば電子書籍）を列挙した商品リスト（以後、第１商品リストと呼ぶ）および第１オンラインストアシステム２０で購入予定登録が行える商品（即ち、第２オンラインストアシステム３０で販売される商品（例えば動画））を列挙した商品リスト（以後、第２商品リストと呼ぶ）を閲覧する機能、（ａ４）上記第１商品リスト中の商品を購入する機能、（ａ５）第２商品リスト中の商品の購入予定を登録する機能。
【００６５】
なお、ここでは、ユーザ端末２１では、上記第１商品リスト中の商品については、購入だけ行えて購入予定登録は行えず、上記第２商品リスト中の商品については、購入予定登録だけ行えて購入は行えない場合で説明するが、その様に限定されない。例えば、ユーザ端末２１において、上記第２商品リスト中の商品を、購入予定登録だけでなく購入もできるようにしてもよい。
【００６６】
ユーザ端末２１から上記購入予定登録を行う場合は、上記第１ホームページにおいて、ユーザ端末２１の操作によって、ユーザＩＤ（認証情報）を入力し、且つ、上記第２商品リストの中から購入予定登録する商品を選択し、且つ、その選択した商品の購入予定登録を決定する操作を入力する。これにより、当該商品が、購入予定リストサーバ４０に保有された、当該ユーザＩＤに対応した上記購入予定リストに登録される。
【００６７】
また、ユーザ端末２１から上記購入を行う場合は、上記第１ホームページにおいて、ユーザ端末２１の操作によって、上記第１商品リストの中から購入する商品を選択し、且つ、その選択した商品の購入を決定する操作を入力する。これにより、当該商品の購入処理が第１オンラインストアシステム２０で行われて、当該商品がユーザ端末２１に送信される。
【００６８】
フロントサーバ２２は、ユーザ端末２１から第１オンラインストアシステム２０へのアクセスを受け付けるものであり、プログラム制御で動作するワークステーションまたはパーソナルコンピュータ等の情報処理装置により構成される。
【００６９】
フロントサーバ２２は、上記第１ホームページの情報を保有しており、フロントサーバ２２にアクセスしたユーザ端末２１に、上記第１ホームページの画面を表示させる。
【００７０】
上記第１ホームページの画面は、例えば、上記第１商品リストを表示する画面と、上記第２商品リストを表示する画面と、上記第１商品リストの中の商品の購入を決定する操作を受け付ける画面と、上記第２商品リストの中の商品の購入予定登録の決定を受け付ける画面とが、例えば階層的に組み込まれて構成される。それら各画面は、ユーザ端末２１の操作によって切り替えられる。
【００７１】
なお、ここでは、第１オンラインストアシステム２０で販売される商品は、機種Ａ向けの商品であり、他方、第１オンラインストアシステム２０で購入予定登録を行える商品は、機種Ｂ向けの商品であって第２オンラインストアシステム３０で販売されている商品である。このため、フロントサーバ２２は、上記第１商品リストを作成するときは、販売サーバ２３から第１オンラインストアシステム２０で販売される商品の商品情報を取得し、その商品情報に基づいて上記第１商品リストを作成する。また、フロントサーバ２２は、上記第２商品リストを作成するときは、後述のフロントサーバ３２から第２オンラインストアシステム３０で販売される商品の商品情報を取得し、その情報に基づいて、上記第２商品リストを作成する。
【００７２】
また、フロントサーバ２２は、ユーザ端末２１の操作に応じて、購入予定リストサーバ４０に対して、上記第２商品リストの中から選択された商品を上記購入予定リストに登録させる。より詳細には、フロントサーバ２２は、上記第１ホームページにおいて、ユーザ端末２１の操作によって、ユーザＩＤの入力、上記第２商品リストからの購入予定商品の選択、および、その選択した商品の購入予定登録の決定が行われると、当該商品を当該ユーザＩＤに対応する上記購入予定リストに登録させる。
【００７３】
また、フロントサーバ２２は、上記第１ホームページにおいて、ユーザ端末２１の操作によって、上記第１商品リストから購入する商品の選択、および、その選択した商品の購入の決定が行われると、当該商品の購入処理を行って、当該商品を販売サーバ２３から取得してユーザ端末２１に送信する。
【００７４】
販売サーバ２３は、第１オンラインストアシステム２０で販売する商品を保有するものであり、プログラム制御で動作するパーソナルコンピュータまたはワークステーション等の情報処理装置により構成される。販売サーバ２３は、フロントサーバ２２からの商品の送信要求に応じて、販売サーバ２３で保有する当該商品をフロントサーバ２２に送信する。そして、当該商品は、フロントサーバ２２からユーザ端末２１に送信される。なお、ここでは、当該商品は、販売サーバ２３からフロントサーバ２２を介してユーザ端末２１に送信されるが、販売サーバ２３から直接、ユーザ端末２１に送信されてもよい。
【００７５】
第２オンラインストアシステム３０は、図１の様に、ユーザ端末３１（第２ユーザ端末）と、フロントサーバ３２（第２フロントサーバ）と、販売サーバ３３とを備えている。
【００７６】
ユーザ端末３１とフロントサーバ３２は、通信ネットワーク５０ｅを介して相互接続されている。また、フロントサーバ３２と販売サーバ３３は、通信ネットワーク５０ｆを介して相互接続されている。また、フロントサーバ３２と購入予定リストサーバ４０は、通信ネットワーク５０ｇを介して相互接続されている。
【００７７】
通信ネットワーク５０ｅ，５０ｆ，５０ｇには、インターネット回線などの公衆回線を使用することができる。
【００７８】
ユーザ端末３１は、プログラム制御で動作するパーソナルコンピュータまたは携帯端末等の情報処理装置（ここではインターネット機能付きテレビ）であり、下記の機能（ｂ１）〜（ｂ６）を有している。
【００７９】
（ｂ１）通信ネットワーク５０ｅに有線または無線で通信接続する機能、（ｂ２）第２オンラインストアシステム３０のホームページ（以後、第２ホームページと呼ぶ）を閲覧する機能、（ｂ３）上記第２ホームページ上で上記購入予定リストを閲覧する機能、（ｂ４）第２オンラインストアシステム３０で販売される商品を列挙した商品リスト（以後、第３商品リストと呼ぶ）を閲覧する機能、（ｂ５）上記購入予定リストの中の商品を購入する機能、（ｂ６）上記第３商品リストの中の商品を購入する機能。
【００８０】
ユーザ端末３１から上記購入予定リストを閲覧する場合は、上記第２ホームページにおいて、ユーザ端末３１の操作によって、ユーザＩＤを入力し、且つ、上記購入予定リストを表示させる操作を入力する。これにより、ユーザ端末３１の表示部に、当該ユーザＩＤに対応した上記購入予定リストが表示される。
【００８１】
また、ユーザ端末３１から上記購入を行う場合は、上記第２ホームページにおいて、ユーザ端末３１の操作によって、上記購入予定リストまたは上記第３商品リストの中から商品を選択し、且つ、その選択した商品の購入を決定する操作を入力する。これにより、当該商品の購入処理が第２オンラインストアシステム３０で行われて、当該商品がユーザ端末３１に送信される。
【００８２】
フロントサーバ３２は、ユーザ端末３１から第２オンラインストアシステム３０へのアクセスを受け付けるものであり、プログラム制御で動作するワークステーションまたはパーソナルコンピュータ等の情報処理装置により構成される。
【００８３】
フロントサーバ３２は、第２オンラインストアシステム３０の上記第２ホームページの情報を保存しており、フロントサーバ３２にアクセスしたユーザ端末３１に、上記第２ホームページの画面を表示させる。
【００８４】
上記第２ホームページの画面は、例えば、上記購入予定リストを表示する画面、上記第３商品リストを表示する画面、および、上記購入予定リストまたは上記第３商品リストの中の商品の購入を決定する操作を受け付ける購入ボタンを含む画面とが、例えば階層的に組み込まれて構成される。それら各画面は、ユーザ端末３１の操作によって切り替えられる。
【００８５】
フロントサーバ３２は、販売サーバ３３から第２オンラインストアシステム２０で販売される商品の商品情報を取得し、その情報に基づいて上記第３商品リストを作成する。
【００８６】
また、フロントサーバ３２は、上記第２ホームページにおいて、ユーザ端末３１の操作によって、ユーザＩＤが入力され、且つ、上記購入予定リストを表示させる操作が入力されると、当該ユーザＩＤに対応した上記購入予定リストを、購入予定リストサーバ４０から取得してユーザ端末３１に表示させる（機能（ｃ１））。
【００８７】
また、フロントサーバ３２は、上記第２ホームページにおいて、ユーザ端末３１の操作によって、上記第３商品リストまたは上記購入予定リストから購入する商品の選択、および、その選択した商品の購入の決定が行われると、当該商品の購入処理を行って、当該商品を販売サーバ３３から取得してユーザ端末３１に送信する（機能（ｃ２））。
【００８８】
販売サーバ３３は、第２オンラインストアシステム３０で販売するデジタルコンテンツを保有するものであり、プログラム制御で動作するパーソナルコンピュータまたはワークステーション等の情報処理装置により構成される。販売サーバ３３は、フロントサーバ３２からの商品の送信要求に応じて、販売サーバ３３で保有する当該商品をフロントサーバ３２に送信する。そして、当該商品は、フロントサーバ３２からユーザ端末２１に送信される。なお、ここでは、当該商品は、販売サーバ３３からフロントサーバ３２を介してユーザ端末３１に送信されるが、販売サーバ３３から直接、ユーザ端末３１に送信されてもよい。
（１−２．ユーザ端末２１の構成例）
ユーザ端末２１は、例えばタブレット端末であり、図２の様に、通信部２１ａと、表示部２１ｂと、操作部２１ｃと、記憶部２１ｄと、処理部２１ｅとを備えている。
【００８９】
通信部２１ａは、通信ネットワーク５０ａを介して第１オンラインストアシステム２０と通信を行うものであり、有線または無線（例えばＷｉ−Ｆｉ、３Ｇ、Ｂｌｕｅｔｏｏｔｈ（商標登録）またはＺｉｂｅｅ（商標登録）等の通信方式）により実現される。
【００９０】
表示部２１ｂは、第１オンラインストアシステム２０のホームページ（第１ホームページ）等を表示するものであり、例えばＬＣＤまたは有機ＥＬにより構成される。
【００９１】
操作部２１ｃは、第１オンラインストアシステム２０にアクセスするための操作、第１オンラインストアシステム２０で販売される商品の商品リスト（第１商品リスト）または購入予定登録が行える商品の商品リスト（第２商品リスト）を表示部２１ｂに表示させるための操作、上記第１商品リスト中の商品の購入および上記第２商品リスト中の商品の購入予定登録を行うための操作等を受け付けるものであり、例えばタッチパネル、ボタンおよびキー等により構成される。
【００９２】
記憶部２１ｄは、デジタルコンテンツや各種のプログラム（例えば通信部２１ａ，表示部２１ｂ，操作部２１ｃ，記憶部２１ｄ，処理部２１ｅを制御するためのプログラム等）を記憶するものであり、例えばＨＤＤ（Hard Disk Drive）、ＳＳＤ（Solid State Drive）またはフラッシュメモリ等の不揮発性メモリにより構成される。
【００９３】
処理部２１ｅは、操作部２１ｃの操作に応じて、通信部２１ａ，表示部２１ｂ，操作部２１ｃ，記憶部２１ｄを制御するものであり、例えばＣＰＵおよびＲＡＭにより構成される。処理部２１ｅは、通信制御部２１ｅ１と、リスト表示要求部２１ｅ２と、購入予定商品登録要求部２１ｅ３（登録要求手段）と、購入処理要求部２１ｅ４（購入処理要求手段）とを備えている。
【００９４】
通信制御部２１ｅ１は、操作部２１ｃにおいて、上記第１ホームページにアクセスするための操作が行われると、通信部２１ａにフロントサーバ２２へのアクセスを行わせる。
【００９５】
リスト表示要求部２１ｅ２は、通信部２１ａが上記第１ホームページにアクセスした状態で、操作部２１ｃにおいて、上記第１商品リストを表示部２１ｂに表示させるための操作が行われると、上記第１商品リストをユーザ端末２１に送信することを要求する第１商品リスト送信要求を、通信部２１ａからフロントサーバ２２に送信する。これにより、フロントサーバ２２からユーザ端末２１に上記第１商品リストが送信されて、それがユーザ端末２１の表示部２１ｂに表示される。
【００９６】
また、リスト表示要求部２１ｅ２は、通信部２１ａが上記第１ホームページにアクセスした状態で、操作部２１ｃにおいて、上記第２商品リストを表示部２１ｂに表示させるための操作が行われると、上記第２商品リストをユーザ端末２１に送信することを要求する第２商品リスト送信要求を、通信部２１ａからフロントサーバ２２に送信する。これにより、フロントサーバ２２からユーザ端末２１に上記第２商品リストが送信されて、それがユーザ端末２１の表示部２１ｂに表示される。
【００９７】
また、購入予定商品登録要求部２１ｅ３は、操作部２１ｃにおいて、上記第２商品リストの中の商品を購入予定登録するための操作（例えば、ユーザＩＤの入力操作、購入予定登録する商品（購入予定商品）を選択する選択操作、および、その選択した商品の購入予定登録を決定する操作が行われると、そのユーザＩＤを示すユーザＩＤ情報と、その購入予定商品を特定する購入予定商品情報と、その購入予定商品の購入予定登録を要求する第１購入予定商品登録要求とを通信部２１ａからフロントサーバ２２に送信させる。これにより、フロントサーバ２２により、上記ユーザＩＤに対応した購入予定リストに上記購入予定商品が登録される。
【００９８】
また、購入処理要求部２１ｅ４は、操作部２１ｃにおいて、上記第１商品リストの中の商品を購入するための操作（例えば、購入する商品を選択する選択操作、および、その選択した商品の購入を決定する操作が行われると、その選択された商品を特定する購入商品情報と、その選択された商品の購入処理を要求する購入処理要求とを通信部２１ａからフロントサーバ２２に送信させる。これにより、フロントサーバ２２により、その選択された商品の購入処理が行われる。
【００９９】
なお、フロントサーバ２２により上記購入処理が行われると、当該商品は、フロントサーバ２２からユーザ端末２１に送信され、処理部２１ｅにより再生処理が行われて表示部２１ｂに表示される。
【０１００】
ここでは、商品は、ユーザ端末２１への送信の直後に自動的に再生されるが、この様に限定されない。例えば、送信された商品を記憶部２１ｄに格納し、その格納した商品を操作部２１ｃの操作で再生してもよい。
（１−３．ユーザ端末３１の構成例）
ユーザ端末３１は、例えばインターネット接続機能付きのテレビであり、図２の様に、通信部３１ａと、表示部３１ｂと、操作部３１ｃと、記憶部３１ｄと、処理部３１ｅとを備えている。
【０１０１】
通信部３１ａは、通信ネットワーク５０ａを介して第２オンラインストアシステム３０と通信を行うものであり、有線または無線（無線の場合は例えばＷｉ−Ｆｉ、３Ｇ、Ｂｌｕｅｔｏｏｔｈ（商標登録）またはＺｉｂｅｅ（商標登録）等の通信方式）により実現される。
【０１０２】
表示部３１ｂは、第２オンラインストアシステム３０のホームページ（第２ホームページ）等を表示するものであり、例えばＬＣＤ、有機ＥＬまたはＣＲＴにより構成される。
【０１０３】
操作部３１ｃは、第２オンラインストアシステム３０にアクセスするための操作、購入予定リストサーバ４０に保有された購入予定リスト、および、第２オンラインストアシステム３０で購入可能な商品の商品リスト（第３商品リスト）を表示部３１ｂに表示させるための操作、上記購入予定リストまたは上記第３商品リストの中の商品を購入するための操作等を受け付けるものであり、例えばタッチパネル、ボタンおよびキー等により構成される。
【０１０４】
記憶部３１ｄは、デジタルコンテンツや各種のプログラム（例えば通信部３１ａ，表示部３１ｂ，操作部３１ｃ，記憶部３１ｄおよび処理部３１ｅを制御するためのプログラム等）等を記憶するものであり、例えばＨＤＤ（Hard Disk Drive）、ＳＳＤ（Solid State Drive）またはフラッシュメモリ等の不揮発性メモリにより構成される。
【０１０５】
処理部３１ｅは、操作部３１ｃの操作に応じて、通信部３１ａ，表示部３１ｂ，操作部３１ｃおよび記憶部３１ｄを制御するものであり、例えばＣＰＵおよびＲＡＭにより構成される。処理部３１ｅは、通信制御部３１ｅ１と、リスト表示要求部３１ｅ２（リスト表示要求手段）と、購入処理要求部３１ｅ４（購入処理要求手段）とを備えている。
【０１０６】
通信制御部３１ｅ１は、操作部３１ｃにおいて、上記第２ホームページにアクセスするための操作が行われると、通信部３１ａにフロントサーバ３２へのアクセスを行わせる。
【０１０７】
リスト表示要求部３１ｅ２は、通信部３１ａが上記ホームページにアクセスした状態で、操作部３１ｃにおいて、上記購入予定リストを表示部３１ｂに表示させるための操作（例えば、ユーザＩＤの入力操作、および、上記購入予定リストを表示させるボタンの選択操作）が行われると、上記ユーザＩＤを示すユーザＩＤ情報と、上記ユーザＩＤに対応した上記購入リストをユーザ端末３１に送信することを要求する第１購入予定リスト送信要求とを、通信部３１ａからフロントサーバ３２に送信する。これにより、フロントサーバ３２からユーザ端末３１に上記購入予定リストが送信される。そして、リスト表示要求部３１ｅ２は、その購入予定リストを表示部３１ｂに表示させる。
【０１０８】
また、リスト表示要求部３１ｅ２は、通信部３１ａが上記第２ホームページにアクセスした状態で、操作部３１ｃにおいて、上記第３商品リストを表示部３１ｂに表示させるための操作が行われると、上記第３商品リストをユーザ端末３１に送信することを要求する第３商品リスト送信要求を、通信部３１ａからフロントサーバ３２に送信する。これにより、フロントサーバ３２からユーザ端末３１に上記第３商品リストが送信される。そして、リスト表示要求部３１ｅ２は、その第３商品リストを表示部３１ｂに表示させる。
【０１０９】
購入処理要求部３１ｅ４は、上記購入予定リストまたは上記第３商品リストの中の商品を購入するための操作（例えば、購入する商品を選択する選択操作、および、その選択した商品の購入を決定する操作が行われると、その選択された商品を特定する購入商品情報と、その購入商品情報で特定される商品の購入処理を要求する購入処理要求とを通信部３１ａからフロントサーバ３２に送信する。これにより、フロントサーバ３２により、その選択された商品の購入処理が行われる。
【０１１０】
なお、図２では、商品登録要求部２１ｅ３が図示されるが、ユーザ端末３１では商品登録要求部２１ｅ３は備えていない。なお、ユーザ端末３１にも、ユーザ端末２１と同様に、ユーザ端末３１の操作によって上記第３リストの中の商品を選択し、その選択した商品を上記購入予定リストに登録させる商品登録要求部を備えてもよい。
【０１１１】
なお、フロントサーバ３２により上記購入処理が行われると、当該商品は、フロントサーバ３２からユーザ端末３１に送信され、処理部３１ｅによって再生処理が行われて表示部３１ｂされる。
【０１１２】
ここでは、商品は、ユーザ端末３１への送信の直後に自動的に再生されるが、この様に限定されない。例えば、送信された商品を記憶部３１ｄに格納し、その格納した商品を操作部３１ｃの操作で再生してもよい。
（１−４．フロントサーバ２３の構成例）
フロントサーバ２２は、図３の様に、通信部２２ａと、記憶部２２ｂと、処理部２２ｃとを備えている。
【０１１３】
通信部２２ａは、各通信ネットワーク５０ａ，５０ｂ（図１参照）を介してユーザ端末２１、販売サーバ２３およびフロントサーバ３２と通信を行うものである。
【０１１４】
記憶部２２ｂは、商品情報格納領域２２ｂ１と、画面情報格納領域２２ｂ２とを備えている。商品情報格納領域２２ｂ１は、第１オンラインストアシステム２０において、販売される商品、および、購入予定登録が行える商品に関する商品情報を格納する領域である。画面情報格納領域２２ｂ２は、上記第１ホームページの画面を階層的に構成する各画面の画面情報を格納する領域である。
【０１１５】
処理部２２ｃは、商品リスト作成部２２ｃ１と、購入予定商品登録要求部２２ｃ２（登録要求手段）と、購入処理部２２ｃ３と、画面制御部２２ｃ４（リスト送信手段）とを備えている。
【０１１６】
商品リスト作成部２２ｃ１は、第１オンラインストアシステム２０で販売される商品の商品リスト（第１商品リスト）、および、第１オンラインストアシステム２０で購入予定登録が行える商品の第商品リスト（第２商品リスト）を作成するものである。
【０１１７】
より詳細には、商品リスト作成部２２ｃ１は、通信部２２ａを介して、販売サーバ２３から第１オンラインストアシステム２０で販売される商品の商品情報を取得すると共に、フロントサーバ３２から第２オンラインストアシステム３０で販売される商品（即ち第１オンラインストアシステム２０で購入予定登録が行える商品）の商品情報を取得する。そして、商品リスト作成部２２ｃ１は、その取得した情報を商品情報格納領域２２ｂ２に格納し、例えばその格納した情報に基づいて、上記第１商品リストおよび上記第２商品リストを作成する。
【０１１８】
なお、商品リスト作成部２２ｃ１は、上記第２商品リストを作成する代わりに、第２オンラインストアシステム３０の後述の商品リスト作成部３２ｃ１が作成する第３商品リスト（第２オンラインストアシステム３０で販売される商品の商品リスト）を商品リスト作成部３２ｃ１から取得し、その第３商品リストを上記第２商品リストとして使用してもよい。
【０１１９】
画面制御部２２ｃ４は、画面情報格納領域２２ｂ３に格納された上記画面情報を用いて、フロントサーバ２２にアクセスしたユーザ端末２１の表示部２１ｂに上記第１ホームページの画面を表示させると共に、ユーザ端末２１の操作に応じて、その画面を切り替えるものである。
【０１２０】
また、画面制御部２２ｃ４は、ユーザ端末２１からの上記第１商品リスト送信要求に応じて、商品リスト作成部２２ｃ１によって作成された上記第１商品リストを通信部２２ａからユーザ端末２１に送信して、ユーザ端末２１の表示部２１ｂに表示させる。
【０１２１】
また、画面制御部２２ｃ４は、ユーザ端末２１からの上記第２商品リスト送信要求に応じて、商品リスト作成部２２ｃ１によって作成された上記第２商品リストを通信部２２ａからユーザ端末２１に送信して、ユーザ端末２１の表示部２１ｂに表示させる。
【０１２２】
購入予定商品登録要求部２２ｃ２は、ユーザ端末２１の操作によって上記第２商品リストの中から選択された購入予定商品を、購入予定リストサーバ４０に保有された上記購入予定リストに登録するものである。
【０１２３】
より詳細には、購入予定商品登録要求部２２ｃ２は、通信部２２ａを介してユーザ端末２１から、上記ユーザＩＤ情報、上記購入予定商品情報および上記第１購入予定商品登録要求を受信すると、第２購入予定商品登録要求、上記ユーザＩＤ情報および上記購入予定商品情報を通信部２２ａから購入予定リストサーバ４０に送信する。なお、上記第２購入予定商品登録要求は、上記購入予定商品情報を、上記ユーザＩＤ情報に対応した上記購入予定リストに登録することを要求するものである。これにより、購入予定リストサーバ４０により、上記購入予定商品が上記購入予定リストに登録される。
【０１２４】
購入処理部２２ｃ３は、ユーザ端末２１の操作によって上記第１商品リストの中から選択された商品を、購入処理するものである。より詳細には、購入処理部２２ｃ３は、通信部２２ａを介してユーザ端末２１から、上記第１商品リストの中から選択された商品に関する購入商品情報と、その選択した商品の購入処理を要求する購入処理要求とを受信すると、上記購入商品情報で特定された商品の購入処理を行う。
【０１２５】
購入処理部２２ｃ３は、例えば、この購入処理が行われると、通信部２２ａを介して販売サーバ２３から当該商品を取得してユーザ端末２１に送信する。
（１−５．購入予定リストサーバ４０の構成例）
購入予定リストサーバ４０は、図４の様に、通信部４０ａと、記憶部４０ｂと、処理部４０ｃとを備えている。
【０１２６】
通信部４０ａは、各通信ネットワーク５０ｃ，５０ｇ（図１参照）を介して各フロントサーバ２２，３２と通信を行うものである。
【０１２７】
記憶部４０ｂは、購入予定リスト格納領域４０ｂ１を備えている。購入予定リスト格納領域４０ｂ２は、ユーザＩＤ毎に作成された購入予定リストを格納する領域である。
【０１２８】
処理部４０ｃは、購入予定リスト作成部４０ｃ１（購入予定リスト作成手段）と、購入予定リスト送信制御部４０ｃ２（購入予定リスト送信制御手段）とを備えている。
【０１２９】
購入予定リスト作成部４０ｃ１は、フロントサーバ２２からの要求に応じて、上記第２商品リストの中から選択された購入予定商品を上記購入予定リストに登録するものである。
【０１３０】
より詳細には、購入予定リスト作成部４０ｃ１は、通信部４０ａを介してフロントサーバ２２から、上記ユーザＩＤ情報、上記購入予定商品情報および上記第２購入予定商品登録要求を受信すると、購入予定リスト格納領域４０ｂ１に格納された上記購入予定リストの中から上記ユーザＩＤ情報に対応したものを選択し、その選択した購入予定リストに、上記購入予定商品情報によって特定された購入予定商品を登録する。
【０１３１】
そして、購入予定リスト作成部４０ｃ１は、購入予定リスト格納領域４０ｂ１に格納された当該購入予定リストを、上記の登録が行われた購入予定リストに更新する。
【０１３２】
なお、購入予定リスト作成部４０ｃ１は、購入予定リスト格納領域４０ｂ１において上記ユーザＩＤ情報に対応した購入予定リストが無い場合は、上記ユーザＩＤ情報に対応した購入予定リストを作成し、その作成した購入予定リストに上記購入予定商品を登録し、その登録を行った購入予定リストを購入予定リスト格納領域４０ｂ１に格納する。
【０１３３】
購入予定リスト送信制御部４０ｃ２は、フロントサーバ３２からの要求に応じて購入予定リストをフロントサーバ３２に送信するものである。
【０１３４】
より詳細には、購入予定リスト送信制御部４０ｃ２は、通信部４０ａを介してフロントサーバ３２から、ユーザＩＤ情報および第２購入予定リスト送信要求を受信すると、購入予定リスト格納領域４０ｂ２に格納された上記購入予定リストの中から、上記ユーザＩＤ情報に対応するものを選択し、その選択した購入予定リストを通信部４０ａからフロントサーバ３２に送信する。
（１−６．フロントサーバ３２の構成例）
フロントサーバ３２は、図５の様に、通信部３２ａと、記憶部３２ｂと、処理部３２ｃとを備えている。
【０１３５】
通信部３２ａは、各通信ネットワーク５０ｅ，５０ｆ，５０ｄ（図１参照）を介してユーザ端末３１、販売サーバ３３およびフロントサーバ２２と通信を行うものである。
【０１３６】
記憶部３２ｂは、商品情報格納領域３２ｂ１と、画面情報格納領域３２ｂ２とを備えている。商品情報格納領域３２ｂ１は、第２オンラインストアシステム３０で販売される商品に関する商品情報を格納する領域である。画面情報格納領域３２ｂ２は、上記第２ホームページの画面を階層的に構成する各画面の画面情報を格納する領域である。
【０１３７】
処理部３２ｃは、商品リスト作成部３２ｃ１と、画面制御部３２ｃ２（リスト供給手段）と、購入処理部３２ｃ３（購入処理手段）と、商品情報送信制御部３２ｃ４とを備えている。
【０１３８】
商品リスト作成部３２ｃ１は、第２オンラインストアシステム３０で販売される商品の商品リスト（第３商品リスト）を作成するものである。
【０１３９】
より詳細には、商品リスト作成部３２ｃ１は、通信部３２ａを介して、販売サーバ３３から第２オンラインストアシステム３０で販売される商品の商品情報を取得し、その取得した商品情報を商品情報格納領域３２ｂ１に格納し、例えばその格納した情報に基づいて、上記第３商品リストを作成する。
【０１４０】
画面制御部３２ｃ２は、画面情報格納領域３２ｂ１に格納された上記画面情報を用いて、フロントサーバ３２にアクセスしたユーザ端末３１の表示部３１ｂに上記第２ホームページの画面を表示させると共に、ユーザ端末３１の操作に応じて、その画面を切り替えるものである。
【０１４１】
また、画面制御部３２ｃ２は、ユーザ端末３１からの上記第３商品リスト送信要求に応じて、商品リスト作成部３２ｃ１によって作成された上記第３商品リストを通信部３２ａからユーザ端末３１に送信して、ユーザ端末３１の表示部３１ｂに表示させる。
【０１４２】
また、画面制御部３２ｃ２は、ユーザ端末３２からの要求に応じて、購入予定リストサーバ４０から上記購入予定リストを取得し、それをユーザ端末３２に送信して、ユーザ端末３１の表示部３１ｂに表示させる。
【０１４３】
より詳細には、画面制御部３２ｃ２は、通信部３２ａを介してユーザ端末３１から、上記ユーザＩＤ情報および上記第１購入予定リスト送信要求を受信すると、上記ユーザＩＤ情報と、上記ユーザＩＤ情報に対応する購入予定リストをフロントサーバ３２に送信することを要求する上記第２購入予定リスト送信要求とを、通信部３２ａから購入予定リストサーバ４０に送信する。
【０１４４】
これにより、購入予定リストサーバ４０からフロントサーバ３２に、上記ユーザＩＤ情報に対応した上記購入予定リストが送信され、それが画面制御部３２ｃ２に取得される。
【０１４５】
そして、画面制御部３２ｃ２は、その取得した購入予定リストをユーザ端末３１に送信して、ユーザ端末３１の表示部３１ｂに表示させる。
【０１４６】
購入処理部２３ｃ３は、ユーザ端末３１の操作によって選択された商品の購入処理を行うものである。より詳細には、購入処理部３２ｃ３は、通信部３２ａを介してユーザ端末３１から、上記第３商品リストまたは上記購入予定リストの中から選択された商品を特定する購入商品情報と、その購入商品情報で特定される商品の購入処理を要求を購入処理要求とを受信すると、その購入商品情報で特定される商品の購入処理を行う。なお、この購入処理が行われると、当該商品はユーザ端末３１に送信されて再生される。
【０１４７】
商品情報送信制御部３２ｃ４は、フロントサーバ２２からの要求に応じて、商品情報格納領域３２ｂ１に格納された商品情報を、通信部３２ａからフロントサーバ２２に送信するものである。この商品情報は、フロントサーバ２２において商品リスト作成部２２ｃ１に取得され、上記第２商品リストの作成に使用される。
（１−７．動作説明）
図６は、オンラインストア連携システム１の主要な動作を説明する図である。
【０１４８】
ステップＳ１では、ユーザ端末２１から第１オンラインストア２０へのアクセスが行われる。より詳細には、ユーザ端末２１の操作によって、ユーザ端末２１から第１オンラインストアシステム２０（即ちフロントサーバ２２）へのアクセスが行われる。
【０１４９】
ステップＳ２では、フロントサーバ２２によってユーザ端末２１に購入予定登録が行える商品の商品リスト（第２商品リスト）が表示される。
【０１５０】
より詳細には、まず、フロントサーバ２２は、それにアクセスしたユーザ端末２１の表示部２１ｂに、第１オンラインストアシステム２０のホームページのトップ画面Ｈ１（図７参照）を表示させる。なお、トップ画面Ｈ１には、図７の様に、例えば、電子書籍リスト（即ち第１商品リスト）を表示させる選択ボタンＢ１と、動画リスト（即ち第２商品リスト）を表示させる選択ボタンＢ２とが形成されている。
【０１５１】
そして、トップ画面Ｈ１において、ユーザ端末２１の操作によって、例えば動画リストを表示させる選択ボタンＢ２が選択されると、その選択した事がユーザ端末２１からフロントサーバ２２に送信される。これに応答して、フロントサーバ２２は、ユーザ端末２１の表示部２１ｂに、動画リストを表示した画面Ｈ２（図８参照）を表示させる。なお、画面Ｈ２では、図８の様に、例えば、購入予定登録可能な各動画Ｄ１〜Ｄ６の表紙画像が列挙されている。
【０１５２】
ステップＳ３では、ユーザ端末２１からフロントサーバ２２に購入予定商品を登録させるための要求が送信される。
【０１５３】
より詳細には、まず、ユーザ端末２１の操作によって、画面Ｈ２の動画リスト中から所望の動画（例えば動画Ｄ１）が選択されると、その選択した商品（購入予定商品）を特定する購入予定商品情報が、ユーザ端末２１からフロントサーバ２２に送信される。これに応答して、フロントサーバ２２は、ユーザ端末２１の表示部２１ｂに、その選択した購入予定商品の購入予定登録を決定する操作を受け付ける画面Ｈ３（図９参照）を表示させる。
【０１５４】
なお、画面Ｈ３には、購入予定登録の決定を選択する選択ボタン（購入予定登録ボタン）Ｂ３が設けられている。この選択ボタンＢ３が、ユーザ端末２１の操作によって選択されることで、購入予定商品の購入予定登録が決定される。
【０１５５】
そして、ユーザ端末２１の操作によって、選択ボタンＢ３が選択されると、上記購入予定商品情報で特定される商品を購入予定登録することを要求する第１購入予定商品登録要求とが、ユーザ端末２１からフロントサーバ２２に送信される。これに応答して、フロントサーバ２２は、ユーザ端末２１の表示部２１ｂに、ユーザＩＤの入力を受け付ける画面Ｈ４（図１０参照）を表示させる。そして、ユーザ端末２１の操作によって、その画面Ｈ４にユーザＩＤが入力されると、そのユーザＩＤを示したユーザＩＤ情報が、ユーザ端末２１からフロントサーバ２２に送信される。
【０１５６】
これらの情報（上記購入予定商品情報、上記第１購入予定商品登録要求、および、ユーザＩＤ情報）がフロントサーバ２２に受信されることで、後述のように、フロントサーバ２２により、購入予定商品が購入予定リストに登録される。
【０１５７】
なお、ここでは、購入予定商品の選択操作、購入予定登録の決定操作およびユーザＩＤの入力操作がこの順番に行われたが、それらの操作の順番は、そのように限定されない。例えば、上記第１ホームページの画面の階層構造に応じて、上記の操作の順番を変更してもよい。
【０１５８】
ステップＳ４では、フロントサーバ２２によって、購入予定リストサーバ４０に格納された購入予定リストに購入予定商品が登録される。より詳細には、まず、フロントサーバ２２は、ユーザ端末２１から上記ユーザＩＤ情報、上記購入予定商品情報および上記第１購入予定登録要求を受信すると、第２購入予定商品登録要求、上記ユーザＩＤ情報および上記購入予定商品情報を購入予定リストサーバ４０に送信する。なお、上記第２購入予定商品登録要求は、上記購入予定商品情報を、上記ユーザＩＤ情報に対応した上記購入予定リストに登録することを要求するものである。
【０１５９】
これにより、購入予定リストサーバ４０は、上記ユーザＩＤ情報に対応した購入予定リストに、上記購入予定商品情報で特定される商品（動画Ｄ１）を登録する。
【０１６０】
ステップＳ５では、ユーザ端末３１から第２オンラインストア３０へのアクセスが行われる。より詳細には、ユーザ端末３１の操作によって、ユーザ端末３１から第２オンラインストアシステム３０（即ちフロントサーバ３２）へのアクセスが行われる。
【０１６１】
ステップＳ６では、ユーザ端末３１の操作によって、フロントサーバ３２から購入予定リストサーバ４０に購入予定リストの送信要求を送信させる。
【０１６２】
より詳細には、まず、フロントサーバ３２は、そのアクセスしたユーザ端末３１の表示部３１ｂに、第２オンラインストアシステム３０のホームページのトップ画面Ｊ１（図１１参照）を表示させる。なお、トップ画面Ｊ１には、図１１の様に、例えば、購入予定登録リストを表示させる選択ボタンＢ４、および、動画リスト（第３商品リスト）を表示させる選択ボタンＢ６が表示されている。
【０１６３】
そして、トップ画面Ｊ１において、ユーザ端末３１の操作によって、例えば、選択ボタンＢ４が選択されると、購入予定リストをユーザ端末３１に送信することを要求する第１購入予定リスト送信要求が、ユーザ端末３１からフロントサーバ３２に送信される。これに応答して、フロントサーバ３２は、ユーザ端末３１の表示部３１ｂに、ユーザＩＤの入力を受け付ける画面Ｊ２（図１２参照）を表示させる。そして、ユーザ端末３１の操作によって、画面Ｊ２にユーザＩＤが入力されると、そのユーザＩＤを示したユーザＩＤ情報が、ユーザ端末３１からフロントサーバ３２に送信される。
【０１６４】
これらの情報（上記第１購入予定リスト送信要求および上記ユーザＩＤ情報）がフロントサーバ３２に受信されることで、フロントサーバ３２は、第２購入予定リスト送信要求と、上記ユーザＩＤ情報とを購入予定リストサーバ４０に送信する。なお、上記第２購入予定リスト送信要求は、上記ユーザＩＤ情報に対応する購入予定リストをフロントサーバ３２に送信することを要求するものである。
【０１６５】
ステップＳ７では、購入予定リストサーバ４０からフロントサーバ３２に購入予定リストが送信される。より詳細には、購入予定リストサーバ４０は、フロントサーバ３２から上記ユーザＩＤ情報および上記第２購入予定リスト送信要求を受信すると、そのユーザＩＤ情報に対応した購入予定リストをフロントサーバ３２に送信する。
【０１６６】
ステップＳ８では、ユーザ端末３１に上記購入予定リストが表示される。即ち、フロントサーバ３２は、購入予定リストサーバ４０から受信した購入予定リストＫ（図１３参照）をユーザ端末３１に送信して、ユーザ端末３１の表示部３１ｂに表示させる。
【０１６７】
ステップＳ９では、ユーザ端末３１の操作によって、購入予定リストＫの中の商品が購入される。
【０１６８】
より詳細には、ユーザ端末３１の操作によって、上記購入予定リストＫに登録された商品（例えば動画Ｄ１，Ｄ７，Ｄ１１）の中から所望の商品（例えば動画Ｄ１）を選択すると、その選択された商品を特定する情報（購入商品情報）が、ユーザ端末３１からフロントサーバ３２に送信される。これに応答して、フロントサーバ３２は、ユーザ端末３１の表示部３１ｂに、その選択された商品の購入の決定を受け付ける画面Ｊ３（図１４参照）を表示させる。
【０１６９】
なお、画面Ｊ３には、購入予定商品の購入の決定を選択する選択ボタン（購入ボタン）Ｂ５が設けられている。この選択ボタンＢ５が、ユーザ端末３１の操作によって選択されることで、購入予定商品の購入が決定される。
【０１７０】
そして、ユーザ端末３１の操作によって、その選択ボタンＢ５が選択されると、上記購入商品情報で特定される商品の購入処理を要求する購入処理要求が、ユーザ端末３１からフロントサーバ３２に送信される。
【０１７１】
これらの情報（上記購入商品情報および上記購入処理要求）がフロントサーバ３２に受信されることで、フロントサーバ３２は、上記購入商品情報で特定される商品の購入処理を行って、当該商品をユーザ端末３１に送信する。
（１−８．外観図）
図１５は、ユーザ端末２１がタブレット端末２１Ｐである場合の外観の一例図である。
【０１７２】
このタブレット端末２１Ｐは、例えば平板状の筐体２１Ｐａを有している。この筐体２１Ｐａの一方の主面には、表示部２１ｂと、表示部２１ｂの表面に設けられたタッチパネル２１ｃ１と、表示部２１ｂに表示された各ボタン等の選択・決定を行う選択・決定デバイス２１ｃ２とが設けられている。タッチパネル２１ｃ１および選択・決定デバイス２１ｃ２より、操作部２１ｃが構成される。筐体２１Ｐａの内部には、通信部２１ａ、記憶部２１ｄおよび処理部２１ｅが配設されている。
【０１７３】
図１６は、ユーザ端末２１がスマートフォン２１Ｑである場合の外観の一例図である。
【０１７４】
このスマートフォン２１Ｑは、例えば平板状の筐体２１Ｑａを有している、この筐体２１Ｑａの一方の主面には、表示部２１ｂと、表示部２１ｂの表面に設けられたタッチパネル２１ｃ３と、メニューキー２１ｃ４と、ホームキー２１ｃ５と、戻るキー２１ｃ６とが設けられている。
【０１７５】
メニューキー２１ｃ４は、表示部２１ｂにスマートフォン２１Ｑの操作メニューを表示させるボタンである。ホームキー２１ｃ５は、表示部２１ｂにホーム画面を表示させるボタンである。戻るキー２１ｃ６は、画面を1つ前の画面に戻すボタンである。
【０１７６】
タッチパネル２１ｃ３と、メニューキー２１ｃ４と、ホームキー２１ｃ５と、戻るキー２１ｃ６とにより、操作部２１ｃが構成されている。また、筐体２１Ｑａの内部には、通信部２１ａ、記憶部２１ｄおよび処理部２１ｅが配設されている。
【０１７７】
図１７は、ユーザ端末３１がインターネット接続機能付きテレビ３１Ｒである場合の外観の一例図である。このテレビ３１Ｒは、テレビ本体３１Ｒ１と、リモコン装置３１Ｒ２とから構成される。
【０１７８】
テレビ本体３１Ｒ１の画面が表示部３１ｂとして機能する。テレビ本体３１Ｒ１の内部には、通信部３１ａ、記憶部３１ｄおよび処理部３１ｅが配設されている。
【０１７９】
リモコン装置３１Ｒ２は、電源ボタン３１ｃ１、テンキー・番組選択キー３１ｃ２、音量キー３１ｃ３，メニューキー３１ｃ４，上下左右の操作キー３１ｃ５、決定キー３１ｃ６、終了キー３１ｃ７、および、戻るキー３１ｃ８等を備えている。
【０１８０】
メニューキー３１ｃ４は、表示部３１ｂに操作メニューを表示させるボタンである。上記操作メニューには、例えばインターネット接続する操作項目が含まれる。操作キー３１ｃ５は、上記操作メニューの中の操作項目を選択するものである。決定３１ｃ６は、操作キー３１ｃ５で選択した操作項目を決定するものである。戻るキー３１ｃ８は、例えば、上記操作メニューが複数ページからなる場合に１つ前のページに戻すボタンである。終了キー３１ｃ７は、例えば、上記操作メニューの表示を終了するボタンである。
【０１８１】
電源ボタン３１ｃ１および各キー３１ｃ２〜３１ｃ８により、操作部２１ｃが構成される。
【０１８２】
なお、テレビ本体３１Ｒ１とリモコン装置３１Ｒ２とは、例えば赤外線通信等の通信部により相互接続されている。
【０１８３】
図１８は、ユーザ端末３１がパーソナルコンピュータ（以後、パソコンと呼ぶ）３１Ｓである場合の外観の一例図である。
【０１８４】
このパソコン３１Ｓは、インターネット接続されたパソコン本体３１Ｓ１と、表示装置３１Ｓ２と、入力デバイス３１Ｓ３とから構成される。
【０１８５】
表示装置３１Ｓ２が表示部３１ｂとして機能する。また、パソコン本体３１Ｓ１の内部には、通信部３１ａ、記憶部３１ｄおよび処理部３１ｅが設けられている。入力デバイス３１Ｓ３は、キーボードおよびマウスであり、操作部３１ｃとして機能する。
【０１８６】
パソコン本体３１Ｓ１と表示装置３１Ｓ２は、例えば有線または無線により接続されており、パソコン本体３１Ｓ１と入力デバイス３１Ｓ３は、例えば有線または無線により接続されている。
（１−９．主要な効果）
この実施の形態によれば、購入予約リストを有する購入予約サーバ４０を備えており、フロントサーバ２２は、ユーザ端末２１の操作によって選択されたデジタルコンテンツを購入予定リストに登録し、フロントサーバ３２は、購入予定リストの中から、ユーザ端末３１の操作によって選択されたデジタルコンテンツの購入処理を行う。
【０１８７】
これにより、ユーザ端末２１は、フロントサーバ２２から、ユーザ端末３１向けのデジタルコンテンツをフロントサーバ２２から購入予定リストに登録することができるので、フロントサーバ３２にアクセスする必要がなく、よって、アクセスするフロントサーバをフロントサーバ３２に切り替える手段を設ける必要がない。
【０１８８】
また、フロントサーバ３２にはユーザ端末３１だけがアクセスするので、フロントサーバ３２では、ユーザ端末２１，３１の両方に対応する必要がなく、よって、両方のユーザ端末２１，３１に対応するためのシステム変更を行う必要がない。
【０１８９】
また、フロントサーバ３２では、ユーザ端末３１の操作によって購入処理が行われるので、ユーザ端末２１に対応した決済方法を新たに導入する必要がない。
【０１９０】
また、購入予定コンテンツの購入処理は、ユーザ端末３１の操作で行われ、ユーザ端末２１の操作では行われないので、コンテンツの使用許諾に関する問題は生じない。
【０１９１】
よって、システム変更のためのコストを抑えることができ、且つ、デジタルコンテンツの使用許諾の問題が生じることなく、一方の機種のユーザ端末において、他方の機種向けのデジタルコンテンツの購入予定登録を行うことができる。
（１−１０．変形例）
この実施の形態では、購入予定リストサーバ４０では、ユーザＩＤ毎に異なる購入予定リストを保有したが、その様に限定するものではない。例えば、購入予定リストサーバ４０では、１つの購入予定リストを保有し、その購入予定リストを全てのユーザで共用することも可能である。
【０１９２】
また、この実施の形態において、ユーザ端末３１の操作によって、上記購入予定リストに登録された商品を削除できるようにしてもよい。その場合、ユーザ端末３１の操作によって、上記購入予定リストの中から削除する商品を選択し、その選択した商品の削除を決定する操作を行う。これに対し、フロントサーバ３２は、その購入予定リストを表示させる際に入力されたユーザＩＤと、その選択された商品を特定する情報（削除商品情報）と、その情報で特定された商品を購入予定リストから削除する要求とを購入予定リストサーバ４０に送信する。これにより、購入予定リストサーバ４０により、そのユーザＩＤに対応する上記購入予定リストから、その削除商品情報で特定される商品が削除される。
【０１９３】
また、この実施の形態において、更に、ユーザ端末２１から上記第２商品リストの中の商品を購入できるようにしても良い。その場合、ユーザ端末２１の操作によって、上記第２商品リストの中から商品を選択し、その選択した商品の購入の決定を行うと、フロントサーバ２２において、その選択された商品の購入処理を行って、その選択された商品を、販売サーバ３３から取得してユーザ端末２１に送信するようにすればよい。なお、この場合、フロントサーバ２２と販売サーバ３３とは通信ネットワーク（図示省略）を介して相互接続されており、この通信ネットワークを介して、フロントサーバ２２は販売サーバ３３から上記商品を取得する。
【０１９４】
また、この実施の形態において、ユーザ端末２１の操作によって上記第１商品リストまたは上記購入予定リストの中から商品が選択されると、その選択された商品の拡大画像を示した画面が、ユーザ端末２１の表示部２１ｂに表示されてもよい。更に、図１９の様に、表示部２１ｂに、その選択された商品の拡大画像Ｔ１を示した画面Ｕ１が表示されると、その画面Ｕ１の周縁（例えば下部領域）に、その選択された商品の購入の決定および購入予定登録の決定などの操作を受け付ける画像（例えば購入ボタンＴ２および購入予定登録ボタンＴ３）を示してもよい。即ち、画面Ｕ１は、商品の拡大画像Ｔ１等が表示される領域Ｕ２と、購入ボタンＴ２および購入予定登録ボタンＴ３などの操作を受け付ける画像等が表示される領域Ｕ３とから構成される。
【０１９５】
なお、各領域Ｕ２，Ｕ３への画像の表示は、例えば画面制御部２２ｃ４により、例えばそれぞれ異なる制御プログラムにより制御される。また、領域Ｕ２に表示される画像の種類に応じて、領域Ｕ３に、画像が表示されたり、または表示される画像が変更されてもよい。ここでは、領域Ｕ２に拡大画像Ｔ１が表示されると、領域Ｕ３に、購入ボタンＴ２および購入予定登録ボタンＴ３の画像が表示される。
（実施の形態２）
実施の形態１では、購入予定リストでは、ユーザＩＤ（例えばオンラインストアのユーザＩＤ）、および購入予定商品を特定する購入予定商品情報（例えばコンテンツＩＤ）が管理された。しかし、購入予定リストで管理する情報は、それらに限定されない。
【０１９６】
例えば、購入予定リストにおいて、例えば登録された商品（コンテンツ）毎に、ＩＤ、ブックマーク確認情報、最終更新日時、コンテンツ視聴開始期限、コンテンツ視聴期限、視聴情報、決済完了情報、コンテンツ視聴可能端末、登録端末ＩＤ、コンテンツ登録日時などの情報を更に管理してもよい。また、これらの情報を、各コンテンツと共に、購入予定リスト上で表示してもよい。以下、上記の各情報について説明する。
【０１９７】
上記ＩＤは、購入予定リストへの情報の書き込み（レコード）に割り振られる連番ＩＤである。
【０１９８】
上記ブックマーク確認情報は、ブックマーク（コンテンツにマークを付けること）されたコンテンツの情報を閲覧したかを示す情報である。上記ブックマーク確認情報は、購入予定リストの中に新しくブックマークされたコンテンツがある場合に、当該コンテンツに、その事を示すためのマーク（例えば「ＮＥＷ」）を表示するために利用される。
【０１９９】
上記最終更新日時は、各レコードの最終更新日時を示す情報である。上記最終更新日時は、ブックマーク確認情報などが更新されたときには、その更新日時にアップデートされる。
【０２００】
上記コンテンツ視聴開始期限は、コンテンツの視聴開始の有効期限を示す情報である。上記コンテンツ視聴開始期限は、購入日時から一定期間（例えば４８時間前後の期間）後の日時に設定される。
【０２０１】
上記視聴情報は、コンテンツを実際に視聴したかを示す情報である。例えば、上記視聴情報は、コンテンツの視聴状況に応じて「未視聴」、「視聴中」または「視聴済み」と表示される。
【０２０２】
上記決済完了情報は、そのコンテンツを購入したかを示す情報である。視聴する端末の機種毎に上記決済完了情報を持たせてもよい。
【０２０３】
上記コンテンツ視聴可能端末（コンテンツの適用機種）は、そのコンテンツを視聴することができるユーザ端末を示す情報である。
【０２０４】
上記登録端末ＩＤは、そのコンテンツの購入予定登録を行ったユーザ端末の端末ＩＤを示す情報である。なお、例えばユーザ端末２１の記憶部２１ｂにそのユーザ端末２１の端末ＩＤを格納しておき、それを、ユーザ端末２１からフロントサーバ２２を介して購入予定リストサーバ４０に送信させて、上記登録端末ＩＤとして使用してもよい。
【０２０５】
上記コンテンツ登録日時は、当該コンテンツが購入予定リストに登録された日時を示す情報である。
（実施の形態３）
実施の形態１では、ユーザ端末２１から購入予定リストへの購入予定商品の登録が行われ、ユーザ端末３１から上記購入予定リストに登録された購入予定商品の購入が行われた。この実施の形態では、更に、ユーザ端末２１からも、上記購入予定リストに登録された購入予定商品の購入が行える。
【０２０６】
なお、この実施の形態では、上記第２商品リストの商品（購入予定リストに登録される商品）は、ユーザ端末２１Ｂでも購入可能であるものとする。
【０２０７】
実施の形態３について、図２０および図２〜図４に基づいて説明すれば、以下のとおりである。なお、説明の便宜上、実施の形態１にて説明した図面と同じ機能を有する部材については、同じ符号を付記しその説明を省略し、以下では、実施の形態１と異なる点を中心に説明する。
【０２０８】
この実施の形態のユーザ端末２１Ｂは、実施の形態１のユーザ端末２１の機能（ａ１）〜（ａ５）に加えて、更に、下記の機能（ａ６）および（ａ７）を有している。
【０２０９】
（ａ６）上記第１ホームページ上で上記購入予定リストを閲覧する機能、（ａ７）上記購入予定リスト中の商品を購入する機能。なお、各機能（ａ６）および（ａ７）はそれぞれ、実施の形態１のユーザ端末３１の機能（ｂ３）および（ｂ５）に対応する。なお、各機能（ａ６）および（ａ７）は、ユーザ端末２１Ｂの処理部２１ｅ（図２参照）により担われる。
【０２１０】
ユーザ端末２１Ｂから上記購入予定リス卜を閲覧する場合は、上記第１ホームページにおいて、ユーザ端末２１Ｂの操作によって、ユーザＩＤを入力し、且つ、上記購入予定リストを表示させる操作を入力する。これにより、ユーザ端末２１Ｂの表示部に、当該ユーザＩＤに対応した上記購入予定リストが表示される。
【０２１１】
また、ユーザ端末２１Ｂから上記購入予定リスト中の商品を購入する場合は、上記第１ホームページにおいて、ユーザ端末２１Ｂの操作によって、上記購入予定リストの中から商品を選択し、且つ、その選択した商品の購入を決定する操作を入力する。これにより、当該商品の購入処理が第１オンラインストアシステム２０で行われて、当該商品がユーザ端末２１Ｂに送信される。そして、ユーザ端末２１Ｂにより当該商品が再生される。
【０２１２】
この実施の形態の第１ホームページの画面は、実施の形態１の第１ホームページの画面において、更に、上記購入予定リストを表示する画面と、上記購入予定リストの中の商品の購入を決定する操作を受け付ける画面とが、例えば階層的に組み込まれて構成される。
【０２１３】
この実施の形態のフロントサーバ２２Ｂは、実施の形態１のフロントサーバ２２において、更に、下記の機能（ｄ１）（ｄ２）を有したものである。
【０２１４】
（ｄ１）フロントサーバ２２Ｂは、上記第１ホームページにおいて、ユーザ端末２１Ｂの操作によって、ユーザＩＤが入力され、且つ、上記購入予定リストを表示させる操作が入力されると、当該ユーザＩＤに対応した上記購入予定リス卜を、購入予定リストサーバ４０から取得して、ユーザ端末２１Ｂに表示させる。
【０２１５】
（ｄ２）フロントサーバ２２Ｂは、上記第１ホームページにおいて、ユーザ端末２１Ｂの操作によって、上記購入予定リストから購入する商品の選択、および、その選択した商品の購入の決定が行われると、当該商品の購入処理を行って、当該商品を販売サーバ３３から取得してユーザ端末２１Ｂに送信する。なお、この実施の形態では、フロントサーバ２２Ｂと販売サーバ３３とは通信ネットワークを介して相互接続されている。
【０２１６】
なお、各機能（ｄ１）（ｄ２）は、実施の形態１のフロントサーバ３２の機能（ｃ１）（ｃ２）に対応する。なお、機能（ｄ１）は、フロントサーバ２２Ｂの画面制御部２２ｃ４（図３参照）により担われ、機能（ｄ２）は、フロントサーバ２２Ｂの購入処理部２２ｃ３（図３参照）により担われる。
【０２１７】
この実施の形態の購入予定リストサーバ４０Ｂは、実施の形態１の購入予定リストサーバ４０において、更に、フロントサーバ２２ＢからユーザＩＤおよび購入予定リスト送信要求を受信すると、当該ユーザＩＤに対応した購入予定リストをフロントサーバ２２Ｂに送信する機能を有するものである。なお、この機能は、処理部４０ｃ（図４参照）により担われる。
【０２１８】
なお、ユーザ端末２１Ｂから上記購入予定リスト中の購入予定商品を購入するときの動作は、実施の形態１のステップＳ５〜Ｓ９の動作に対応するので、その説明は省略する。
【０２１９】
なお、この実施の形態において、更に、ユーザ端末２１Ｂの操作によって、上記購入予定リストに登録された商品を削除できるようにしてもよい。
【０２２０】
最後に、各ユーザ端末２１，３１、第１および第２フロントサーバ２２，３２、および、購入予定リストサーバ４０の各ブロック、特に、処理部２１ｅの各部、処理部３１ｅの各部、処理部２２ｃの各部、処理部３２ｃの各部、および、処理部４０ｃの各部は、ハードウェアロジックによって構成してもよいし、次のようにＣＰＵを用いてソフトウェアによって実現してもよい。
【０２２１】
後者の場合、各ユーザ端末２１，３１、第１および第２フロントサーバ２２，３２、および、購入予定リストサーバ４０は、各機能を実現するプログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである各ユーザ端末２１，３１、第１および第２フロントサーバ２２，３２、および、購入予定リストサーバ４０の制御プログラムのプログラムコード（実行形式プログラム、中間コードプログラム、ソースプログラム）をコンピュータで読み取り可能に記録した記録媒体を、上記各ユーザ端末２１，３１、第１および第２フロントサーバ２２，３２、および、購入予定リストサーバ４０に供給し、そのコンピュータ（またはＣＰＵやＭＰＵ）が記録媒体に記録されているプログラムコードを読み出し実行することによっても、達成可能である。
【０２２２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２２３】
また、各ユーザ端末２１，３１、第１および第２フロントサーバ２２，３２、および、購入予定リストサーバ４０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２２４】
本発明は上述した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【０２２５】
本発明は、通信ネットワークを介してデジタルコンテンツの販売を行う技術に利用することができる。
【符号の説明】
【０２２６】
１  オンラインストア連携システム
２１，２１Ｂ  機種Ａのユーザ端末（第１ユーザ端末）
２１ａ，２２ａ，３１ａ，３２ａ，４０ａ  通信部
２１ｂ，３１ｂ  表示部
２１ｅ，２２ｃ，３１ｅ，３２ｃ，４０ｃ  処理部
２１ｃ，３１ｃ  操作部
２１ｅ１，３１ｅ１  通信制御部
２１ｅ２，３１ｅ２  リスト表示要求部
２１ｅ３  購入予定商品登録要求部（登録要求手段）
２１ｅ４，３１ｅ４  購入処理要求部（購入処理要求手段）
２２ｃ１  商品リスト作成部
２２ｃ２  購入予定商品登録要求部（登録要求手段）
２２ｃ３  購入処理部
２２ｃ４  画面制御部（リスト送信手段）
２２ｂ，３２ｂ，４０ｂ  記憶部
２２，２２Ｂ  フロントサーバ（第１フロントサーバ）
２３  販売サーバ
３１  機種Ｂのユーザ端末（第２ユーザ端末）
３２  フロントサーバ（第２フロントサーバ）
３２ｃ１  商品リスト作成部
３２ｃ２  画面制御部（リスト供給手段）
３２ｃ３  購入処理部（購入処理手段）
３２ｃ４  商品情報送信制御部
３３  販売サーバ
４０  購入予定リストサーバ
４０ｃ１  購入予定リスト作成部（購入予定リスト作成手段）
４０ｃ２  購入予定リスト送信制御部（購入予定リスト送信制御手段）
５０ａ，５０ｂ，５０ｃ，５０ｄ，５０ｅ，５０ｆ，５０ｇ，５０ｈ  通信ネットワーク
【図１】
2013008238.tif 000003
【図２】
2013008238.tif 000004
【図３】
2013008238.tif 000005
【図４】
2013008238.tif 000006
【図５】
2013008238.tif 000007
【図６】
2013008238.tif 000008
【図７】
2013008238.tif 000009
【図８】
2013008238.tif 000010
【図９】
2013008238.tif 000011
【図１０】
2013008238.tif 000012
【図１１】
2013008238.tif 000013
【図１２】
2013008238.tif 000014
【図１３】
2013008238.tif 000015
【図１４】
2013008238.tif 000016
【図１５】
2013008238.tif 000017
【図１６】
2013008238.tif 000018
【図１７】
2013008238.tif 000019
【図１８】
2013008238.tif 000020
【図１９】
2013008238.tif 000021
【図２０】
2013008238.tif 000022
【図２１】
2013008238.tif 000023
【図２２】
2013008238.tif 000024